(57)【要約】【課題】固定電話機から携帯電話機への電話について電話料金の割引サービスを受ける場合、電話をかける者が、割引サービスを受けるキャリア（電話会社）の識別番号を、電話の都度付け加える必要がなく、何ら特別の作業を行うことなく電話をかければよい電話機アダプタの提供を目的とする。【解決手段】固定電話機からのダイアル信号が携帯電話機の呼び出しか否かを判断する判断手段と、固定電話機からのダイアル信号が携帯電話機の呼び出しの場合に、記憶手段に記憶されているキャリア識別情報を読み出して固定電話機からのダイアル信号に付加し、該付加後のダイアル信号を固定電話回線へ送出す付加送出手段と、固定電話機からのダイアル信号が携帯電話機の呼び出しとは異なる場合に固定電話機からのダイアル信号をそのまま前記固定電話回線へ送り出す無付加送出手段とを備えた。【選択図】        図２
2006135826.tif 000002
【特許請求の範囲】
【請求項１】
固定電話機と固定電話回線間に接続される電話機アダプタであって、
前記固定電話機からのダイアル信号に付加するためのキャリア識別情報を読み出し可能に記憶しておく記憶手段と、
前記固定電話機からのダイアル信号が携帯電話機の呼び出しか否かを判断する判断手段と、
前記固定電話機からのダイアル信号が携帯電話機の呼び出しの場合に、前記記憶手段に記憶されているキャリア識別情報を読み出して前記固定電話機からのダイアル信号に付加し、該付加後のダイアル信号を前記固定電話回線へ送り出す付加送出手段と、
前記固定電話機からのダイアル信号が携帯電話機の呼び出しとは異なる場合に前記固定電話機からのダイアル信号をそのまま前記固定電話回線へ送り出す無付加送出手段と、
を備えることを特徴とする電話機アダプタ。
【発明の詳細な説明】
【技術分野】
【０００１】
本発明は、電話機アダプタに関する。
【背景技術】
【０００２】
従来、固定電話機から携帯電話機への通話料金は、携帯電話機間の通話料金に比べて割高に設定されていた。ところが、近年、固定電話機から携帯電話機に電話をかける際、特定のキャリア（電話会社）の回線を使用すると、固定電話機から携帯電話機への通常の通話よりも安くなる割引サービスが提供されるようになった。
【０００３】
しかし、前記割引サービスを受けるには、固定電話機から携帯電話機へ電話をかける際に、その都度、割引サービスを受けるためのキャリア（電話会社）識別番号、例えば「００３９」や「００３６」、あるいは「００３３」等を電話番号の最初につけて電話をしなければならなかった。そのため割引サービスを受けるのが面倒であり、また、サービスを受けるためのキャリア（電話会社）識別番号をつけ忘れて、サービスを受け損なうことも生じ易い。
【特許文献１】特開２００１−２８５４５５号公報
【特許文献２】特開平９−３１２７０４号公報
【発明の開示】
【発明が解決しようとする課題】
【０００４】
本発明は、前記の点に鑑みなされたものであって、固定電話機から携帯電話機へ電話をかける際に電話料金の割引サービスを受ける場合、電話をかける者が、割引サービスを受けるのに必要なキャリア（電話会社）識別番号を付け加える作業が必要のない電話機アダプタの提供を目的とする。
【課題を解決するための手段】
【０００５】
本発明は、固定電話機と固定電話回線間に接続される電話機アダプタであって、前記固定電話機からのダイアル信号に付加するためのキャリア識別情報を読み出し可能に記憶しておく記憶手段と、前記固定電話機からのダイアル信号が携帯電話機の呼び出しか否かを判断する判断手段と、前記固定電話機からのダイアル信号が携帯電話機の呼び出しの場合に、前記記憶手段に記憶されているキャリア識別情報を読み出して前記固定電話機からのダイアル信号に付加し、該付加後のダイアル信号を前記固定電話回線へ送り出す付加送出手段と、前記固定電話機からのダイアル信号が携帯電話機の呼び出しとは異なる場合に前記固定電話機からのダイアル信号をそのまま前記固定電話回線へ送り出す無付加送出手段と、を備えることを特徴とする。
【発明の効果】
【０００６】
本発明の電話機アダプタによれば、固定電話機から電話をかけると、携帯電話機への電話（携帯電話機の呼び出し）か固定電話機への電話（固定電話機の呼び出し）か判断され、携帯電話機への電話の場合には、予め記憶されているキャリア（電話会社）識別情報が読み出されて前記固定電話機からのダイアル信号に付加され、該付加後のダイアル信号が前記固定電話回線へ送り出されるため、前記キャリア（電話会社）識別情報を付加することによって受けられるとされている前記キャリア（電話会社）の所定のサービス、本実施例では固定電話機から携帯電話機への通話に対する通話料金の割引サービスを受けることができる。そのため、固定電話機から電話をかける者は、携帯電話機へ電話をかける場合に、余分な作業を行わなくてもキャリア（電話会社）識別情報を自動的に付加して電話をかけることができ、簡単かつ、確実に特定キャリア（電話会社）のサービス（割引サービス）を受けることができる。
【０００７】
また、本発明の電話機アダプタによれば、固定電話機への電話の場合、前記固定電話機からのダイアル信号がそのまま固定電話回線へ送り出される。そのため、固定電話機から電話をかける者は、固定電話機へ電話をかける場合及び携帯電話機へ電話をかける場合の何れの場合にも、従来通りの電話のかけ方でよく、何ら余分な作業を行わなくてもよく、きわめて効率がよく経済的である。
【発明を実施するための最良の形態】
【０００８】
以下この発明の実施形態を説明する。図１は本発明の一実施形態に係る電話機アダプタのブロック図、図２は同電話機アダプタにおける固定電話機からの発信時の処理を示すフローチャートである。
【０００９】
図１に示す電話機アダプタ１０は、固定電話機２０と固定電話回線３０の間に設けられるものである。前記電話機アダプタ１０は、固定電話機２０と電話線２５で接続され、また、電話局４０とは加入している固定電話回線３０で接続される。
【００１０】
前記電話機アダプタ１０は、制御部１１と記憶部１５を備える。前記制御部１１は、ＲＯＭ、ＲＡＭを備えるＣＰＵを有し、前記ＣＰＵはＲＯＭに記憶されているプラグラムにしたがって一連の処理を行い、本発明の判断手段、付加送出手段及び無付加送出手段としても機能する。なお、前記ＣＰＵのＲＡＭは、前記ＣＰＵによる処理作業時の一時記憶領域として使用される。
【００１１】
前記記憶部１５は、ＲＡＭで構成され、キャリア（電話会社）識別情報が読み出し可能に記憶されており、本発明の記憶手段として機能する。また前記記憶手段（例、記憶部１５）は、固定電話機２０からの情報を一時記憶することにも利用できる。固定電話機２０からの情報とは、ダイアル信号（呼び出し先電話番号情報）などである。
【００１２】
前記記憶部１５に記憶されているキャリア（電話会社）識別情報は、前記電話機アダプタ１０に接続されている固定電話機２０から携帯電話機へ電話をかける際に、電話番号の始めに付加することによって、前記キャリア（電話会社）が定める割引サービスを受けられるようにするためのものである。なお、前記記憶部１５に予め記憶されているキャリア（電話会社）識別情報は、サービスを受けるキャリア（電話会社）に対して定められている数字、例えば「００３９」や「００３６」、あるいは「００３３」等からなる。
【００１３】
前記固定電話機２０からの発信時（電話をかける際）に前記制御部１１が行う処理について、図２のフローチャートを用いて説明する。前記制御部１１は、まず前記固定電話機２０がオフフックされた（受話器が取られた）か否か判断し（Ｓ１１）、オフフックされていない（受話器が取られていない）場合には、前記オフフック判断（Ｓ１１）を繰り返す。なお、オフフック判断は、前記固定電話機２０がオフフックされることにより発信する信号の検知によって行われる。
【００１４】
前記固定電話機２０がオフフックされると、次に前記固定電話機２０からのダイアル信号を電話機アダプタ１０が受信したか（固定電話機２０から電話番号が入力されたか）を判断し（Ｓ１２）、ダイアル信号を受信していない（固定電話機２０から電話番号が入力されていない）場合には、前記ダイアル信号の受信判断（Ｓ１２）が繰り返される。前記ダイアル信号は、相手先固定電話機の電話番号あるいは相手先携帯電話機の電話番号で構成される。前記ダイアル信号の受信判断（Ｓ１２）は本発明の判断手段に相当する。
【００１５】
前記ダイアル信号の受信と判断されると、次に前記ダイアル信号が携帯電話機の呼び出しであるか判断される（Ｓ１３）。携帯電話機の呼び出し判断は、前記ダイアル信号（電話番号）に携帯電話機の電話番号を示す「０９０」あるいは「０８０」が含まれている場合には携帯電話機の呼び出しと判断し、「０９０」あるいは「０８０」が含まれていない場合には携帯電話機の呼び出しではないと判断する。
【００１６】
前記ダイアル信号が携帯電話機の呼び出しであると判断されると、前記記憶部１５に記憶されている前記キャリア（電話会社）識別情報を読み出して、前記ダイアル信号に付加し、付加後のダイアル信号を加入固定電話回線３０へ送り出す（Ｓ１４）。この処理は本発明の付加送出手段に相当する。前記キャリア（電話会社）識別情報の付加は、前記ダイアル信号の先頭に付け加えられる。例えば、前記固定電話機２０から入力されたダイアル信号が「０９０ＸＸＸＸＹＹＹＹ」であり、前記記憶部１５に記憶されているキャリア（電話会社）識別情報が「ＡＢＣＤ」の場合、付加後のダイアル信号は「ＡＢＣＤ０９０ＸＸＸＸＹＹＹＹ」となる。なお、前記付加後のダイアル信号が加入固定電話回線３０へ送り出されることによって、前記固定電話機２０からの通話者は、前記付加された識別情報のキャリア（電話会社）によるサービスを享受して相手先の携帯電話機と接続し、通話することが可能となる。
【００１７】
一方、前記ダイアル信号が携帯電話機の呼び出しではない、すなわち固定電話機への通話であると判断されると、前記ダイアル信号をそのまま加入固定電話回線３０へ送り出す（Ｓ１５）。この処理は本発明の無付加送出処理に相当する。例えば、前記固定電話機２０から入力されたダイアル信号が「０３ＫＫＫＫＬＬＬＬ」であれば、「０３ＫＫＫＫＬＬＬＬ」のダイアル信号を加入固定電話回線３０へ送り出す。これによって、前記固定電話機２０からの通話者は、相手先の電話機（固定電話機）と接続し、通話することが可能となる。
【００１８】
なお、前記電話機アダプタ１０は、外からかけられてきた電話を受信する場合、そのまま前記固定電話機２０に流れるように構成されている。
【図面の簡単な説明】
【００１９】
【図１】本発明の一実施形態に係る電話機アダプタのブロック図である。
【図２】同電話機アダプタにおける固定電話機からの発信時の処理を示すフローチャートである。
【符号の説明】
【００２０】
１０  電話機アダプタ
１１  制御部
１５  記憶部
２０  固定電話機
２５  電話線
３０  固定電話回線
４０  電話局
【図１】
2006135826.tif 000003
【図２】
2006135826.tif 000004